(57)【特許請求の範囲】
【請求項１】
汎用型のＰＣ本体と、
該汎用型のＰＣ本体へ増設可能に構成されたＰＯＳ機能を有する制御ボードであるＰＯＳ制御ボードと、
該ＰＯＳ制御ボードと、顧客用ディスプレイ、ＰＯＳ用キーボード、プリンタ等のＰＯＳ用入出力機器と、の間を接続する中継コネクタが設けられた前記顧客用ディスプレイの台座を兼ねたコネクタ中継ボックスと、
を有して構成されたＰＣ活用型ＰＯＳ装置であって、
前記コネクタ中継ボックスは、
顧客向けの表示装置である前記顧客用ディスプレイを設置するための支柱をさらに有し、
前記支柱は、前記顧客用ディスプレイを前記コネクタ中継ボックスに固定する機能を有し、前記コネクタ中継ボックスの側面部には、前記ＰＯＳ用入出力機器と信号線で接続するためのコネクタが設けられて構成されたことを特徴とするＰＣ活用型ＰＯＳ装置。
【請求項２】
前記ＰＯＳ制御ボードには、前記ＰＯＳ用入出力機器と接続するためのコネクタが設けられ、該コネクタと前記ＰＯＳ用入出力機器とは前記コネクタ中継ボックスを介して接続されて構成されたことを特徴とする請求項１記載のＰＣ活用型ＰＯＳ装置。
【請求項３】
汎用型のＰＣ本体へＰＯＳ機能を有するＰＯＳ制御ボードを増設し、
顧客向けの表示装置である顧客用ディスプレイを設置するための支柱と、中継コネクタと、が設けられた前記顧客用ディスプレイの台座を兼ねたコネクタ中継ボックスと、前記ＰＯＳ制御ボードと、を信号線で接続し、
前記コネクタ中継ボックスの側面部と、前記顧客用ディスプレイ、ＰＯＳ用キーボード、プリンタ等のＰＯＳ用入出力機器と、の間をコネクタを介して信号線で接続し、
構成したことを特徴とするＰＣ活用型ＰＯＳ装置の接続方法。
【発明の詳細な説明】
【０００１】
【発明の属する技術分野】
本発明は、汎用ＰＣあるいは分離設置が可能なＰＯＳ（point of sales／販売時点情報）制御部を有するＰＯＳ装置に適用されるＰＣ活用型ＰＯＳ装置およびＰＣ活用型ＰＯＳ装置の接続方法に関する。
【０００２】
【従来の技術】
従来、ＰＣ活用型ＰＯＳ装置およびＰＣ活用型ＰＯＳ装置の接続方法は、販売管理のための一装置として適用される。このＰＣ活用型ＰＯＳ装置は、一体型ＰＯＳにはない設置性の自由度が大きいという特徴をセールストークとして、売場の雰囲気造りを重視する顧客や店内スペースの関係で一体型ＰＯＳ装置を設置できない顧客、更にＰＣの有する豊富なソフト資源の活用を必要とする顧客をターゲットとして販売しており、好評を得てきている。
【０００３】
図２は、従来のＰＣ活用型ＰＯＳ装置およびＰＣ活用型ＰＯＳ装置の接続方法を表したものである。図２に示す従来方式では、キーボード４、顧客用ディスプレイ５およびプリンタ６のインタフェースケーブルは、ケーブル群７により直接ＰＯＳ制御ボード２上の各々コネクタ２１、２２および２３に接続されている。このような接続方法により、分離設置による設置性の自由度を確保している。
【０００４】
【発明が解決しようとする課題】
しかしながら、上記従来のＰＣ活用型ＰＯＳ装置およびＰＣ活用型ＰＯＳ装置の接続方法では、分離設置による設置性の自由度は確保しているが、移設やレイアウト変更のため入出力機器の脱着を行う場合には、コネクタ２１、２２および２３がＰＣ本体１の内部にあるため容易ではない。また顧客用ディスプレイ台座５２は、顧客用ディスプレイ５の設置を安定させるために必要なものであり、その分の設置スペースは必ず確保する必要がある。これらの問題点を整理すると下記となる。
【０００５】
第１の問題点は、移設、レイアウト変更や保守時の入出力機器の脱着が容易にできないことである。その理由は、制御部が汎用ＰＣであるため、ＰＯＳ機能を実現するためにはＰＯＳ機能をＰＣのオプションボードという形で実現する必要がある。その結果、ＰＯＳ専用の入出力機器を接続するためのコネクタをそのボード上に配置せざるを得ないからである。
【０００６】
第２の問題点は、脱着を容易にするためには、設置スペースを犠牲にする必要がある。その理由は、脱着を容易にするためにはコネクタ部分を外部に設ける必要があり、その結果、その分設置スペースが増えてしまうからである。
【０００７】
本発明は、以上の問題点を鑑みてなされたものであり、移設、レイアウト変更や保守時の入出力機器の脱着が容易にできる、ＰＣ活用型ＰＯＳ装置およびＰＣ活用型ＰＯＳ装置の接続方法を提供することを目的とする。
【０００８】
【課題を解決するための手段】
かかる目的を達成するために、本発明は以下の特徴を有することとする。
本発明にかかるＰＣ活用型ＰＯＳ装置は、汎用型のＰＣ本体と、該汎用型のＰＣ本体へ増設可能に構成されたＰＯＳ機能を有する制御ボードであるＰＯＳ制御ボードと、該ＰＯＳ制御ボードと、顧客用ディスプレイ、ＰＯＳ用キーボード、プリンタ等のＰＯＳ用入出力機器と、の間を接続する中継コネクタが設けられた前記顧客用ディスプレイの台座を兼ねたコネクタ中継ボックスと、を有して構成されたＰＣ活用型ＰＯＳ装置であって、コネクタ中継ボックスは、顧客向けの表示装置である前記顧客用ディスプレイを設置するための支柱をさらに有し、支柱は、前記顧客用ディスプレイを前記コネクタ中継ボックスに固定する機能を有し、前記コネクタ中継ボックスの側面部には、前記ＰＯＳ用入出力機器と信号線で接続するためのコネクタが設けられて構成されたことを特徴とするものである。
【０００９】
また、本発明にかかるＰＣ活用型ＰＯＳ装置において、ＰＯＳ制御ボードには、ＰＯＳ用入出力機器と接続するためのコネクタが設けられ、該コネクタとＰＯＳ用入出力機器とはコネクタ中継ボックスを介して接続されて構成されたことを特徴とするものである。
【００１０】
また、本発明にかかるＰＣ活用型ＰＯＳ装置の接続方法は、汎用型のＰＣ本体へＰＯＳ機能を有するＰＯＳ制御ボードを増設し、顧客向けの表示装置である顧客用ディスプレイを設置するための支柱と、中継コネクタと、が設けられた前記顧客用ディスプレイの台座を兼ねたコネクタ中継ボックスと、前記ＰＯＳ制御ボードと、を信号線で接続し、コネクタ中継ボックスの側面部と、前記顧客用ディスプレイ、ＰＯＳ用キーボード、プリンタ等のＰＯＳ用入出力機器と、の間をコネクタを介して信号線で接続し、構成したことを特徴とするものである。
【００１３】
【発明の実施の形態】
次に、添付図面を参照して本発明によるＰＣ活用型ＰＯＳ装置およびＰＣ活用型ＰＯＳ装置の接続方法の実施の形態を詳細に説明する。図１を参照すると、本発明のＰＣ活用型ＰＯＳ装置およびＰＣ活用型ＰＯＳ装置の接続方法の一実施形態が示されている。
【００１４】
図１において、本実施形態のＰＣ活用型ＰＯＳ装置は、汎用型のＰＣ本体１、ＰＯＳ制御ボード２、ＰＯＳ制御ボード２上に設けられたコネクタ２１、２２、２３、コネクタ中継ボックス３、顧客用ディスプレイ５、支柱５１、キーボード４、プリンタ６、コネクタ中継ボックス３の側面に設けられた各々コネクタ３１、３２、３３、の各部により構成される。また、ＰＣ活用型ＰＯＳ装置の接続方法は、上記に構成されるＰＣ活用型ＰＯＳ装置を、二つのケーブル群７、８により接続する方法である。
【００１５】
上記の各部により構成されるＰＯＳ制御ボード２は、汎用型のＰＣ本体１へ増設可能に構成された専用のＰＯＳ機能を有する制御ボードである。なお、ＰＯＳ制御ボード２上には、周辺機器との接続をとるためのコネクタ２１、２２および２３が設けられている。
【００１６】
コネクタ中継ボックス３は、ＰＯＳ制御ボード２と周辺機器との間の接続をとるためのコネクタ中継ボックスであり、顧客用ディスプレイ５の台座を兼ねている。
【００１７】
キーボード４は、ＰＣ活用型ＰＯＳ装置へデータの入出力操作を行う機器である。ケーブル群７は、ＰＣ本体１とコネクタ中継ボックス３間を接続する信号線である。このケーブル群７は、ＰＣ本体１に内蔵されているＰＯＳ制御ボード２上の各々コネクタ２１、２２および２３に接続されている。
【００１８】
また、ケーブル群８は、顧客用ディスプレイ５およびプリンタ６間のインタフェースケーブルである。このケーブル群８は、コネクタ中継ボックス３の側面に設けられた各々コネクタ３１、３２および３３に接続され、更に内部でケーブル群７に変換される。
【００１９】
支柱５１は、顧客用ディスプレイ５をコネクタ中継ボックス３に固定するためのものである。
【００２０】
次に、図１のＰＣ活用型ＰＯＳ装置の動作例について、図を参照して説明する。ＰＣ活用型ＰＯＳ装置は、ＰＣ本体１をＰＯＳ制御部とし、ＰＯＳ用入出力機器を分離接続、設置を可能としたシステムであり、設置性の自由度の大きい点が一体型ＰＯＳとの大きな違いであり特徴となっている。
【００２１】
本実施形態のＰＣ活用型ＰＯＳ装置の接続方法は、キーボード４、顧客用ディスプレイ５およびプリンタ６のＰＯＳ用入出力機器と、ＰＣ本体１に内蔵されるＰＯＳ制御ボード２との間にコネクタ中継ボックス３を設けることにより、入出力機器の脱着をコネクタ中継ボックス３の側面に配置したコネクタ３１、３２および３３で容易に可能であり、設置性の自由度と移設、レイアウト変更の容易性を確保している。
【００２２】
次に、通常のＰＯＳ業務運用におけるデータの流れについて説明する。キーボード４からデータを入力すると、コネクタ中継ボックス３を介してＰＯＳ制御ボード２に伝達される。伝達されたデータは、ＰＣ本体１およびＰＯＳ制御ボード２内で加工された後、顧客向けの表示データとプリント出力データとしてコネクタ中継ボックス３を介してそれぞれ顧客用ディスプレイ５およびプリンタ６に伝達されて表示およびプリント出力される。このように、従来と同様の動作を実現している。
【００２３】
上記の実施形態のＰＣ活用型ＰＯＳ装置およびＰＣ活用型ＰＯＳ装置の接続方法によれば、顧客用ディスプレイの台座を兼ねたコネクタ中継ボックスの採用により、設置スペースは従来のままとしながら、脱着の容易化により売場での機器の移設、レイアウト変更および、保守時の機器交換の容易化を実現する。この内容を以下にさらに詳述する。
【００２４】
図１において、キーボード４、顧客用ディスプレイ５およびプリンタ６は、従来からあるＰＯＳ用入出力機器である。これらの信号ケーブルの脱着は、コネクタ３１、３２および３３で行う。このコネクタは、顧客用ディスプレイの台座を兼用したコネクタ中継ボックス３の側面に配置されている。このため、脱着が容易で機器の移設、交換が簡単にできる。また台座兼用のため、設置スペースも従来同等とすることが可能である。
【００２５】
尚、上述の実施形態は本発明の好適な実施の一例である。但し、これに限定されるものではなく、本発明の要旨を逸脱しない範囲内において種々変形実施が可能である。
【００２６】
【発明の効果】
以上の説明より明かなように、本発明のＰＣ活用型ＰＯＳ装置およびＰＣ活用型ＰＯＳ装置の接続方法は、汎用型のＰＣ本体へＰＯＳ機能を有するＰＯＳ制御ボードを増設し、顧客向けの顧客用ディスプレイを設置するための支柱を設けたコネクタ中継ボックスと汎用型のＰＣ本体とを信号線で接続し、さらにこのコネクタ中継ボックスと、周辺機器との間を接続している。
【００２７】
この構成によれば、脱着するためのコネクタがＰＣ本体内部ではなく、コネクタ中継ボックス側面に配置し、移設、レイアウト変更および保守時に、入出力機器の脱着が容易となる。また、コネクタ中継ボックスを顧客用デイスプレイの台座と兼用し、脱着を行うコネクタ部分をＰＣ本体内部ではなく外部で実現したにも関わらず、入出力機器の設置スペースを拡大しなくて足りる。
【図面の簡単な説明】
【図１】本発明のＰＣ活用型ＰＯＳ装置およびＰＣ活用型ＰＯＳ装置の接続方法の実施形態を示すブロック構成図である。
【図２】従来のＰＣ活用型ＰＯＳ装置およびＰＣ活用型ＰＯＳ装置の接続方法を示すブロック構成図である。
【符号の説明】
１  ＰＣ本体
２  ＰＯＳ制御ボード
３  コネクタ中継ボックス
４  キーボード
５  顧客用ディスプレイ
６  プリンタ
７、８  ケーブル群
２１、２２、２３、３１、３２、３３  コネクタ
５１  支柱
５２  顧客用ディスプレイ台座
【図１】
0003636932.tif 000002
【図２】
0003636932.tif 000003